(57)【要約】【課題】詰め替え用容器をそのまま使用しても、従来の本体容器と同等またはそれ以上の計量性能を得ることができ、使用者が扱いやすい液体の可変計量キャップを提供する。【解決手段】液体の可変計量キャップは、ノズル部１と、フィルター２と、キャップ３とを備えている。ノズル部１の側面には第１の突起１１が設けられている。フィルター２は、開口部２４が設けられた第１のフィルター２１と、開口部２５が設けられた第２のフィルター２２とを重ねわせて有している。第１のフィルター２２は、側部に第２の突起２３が設けられ、回転可能とされている。キャップ３の横溝３２を第１の突起１１に合わせて回転させることにより、縦溝３１により第２の突起２３が回転され、開口部２４，２５の少なくとも一部が重なってフィルター２が開くようになっている。【選択図】図１
2020142856.tif 000002
【特許請求の範囲】
【請求項１】
液体の入った詰め替え用容器の液体排出部に接続するノズル部と、
このノズル部の突出側の出口に設けられた第１のフィルターおよび第２のフィルターと、
前記ノズル部の突出側を覆うようにかぶせるキャップとを備え、
前記ノズル部の側面には、第１の突起が設けられ、
前記第１のフィルターと前記第２のフィルターとは重ねわせて設けられ、前記第２のフィルターは、少なくとも１つ以上の開口部を有すると共に、前記第１のフィルターは、少なくとも１以上の開口部を有し、
前記第１のフィルターは、側部に第２の突起が設けられると共に回転可能であり、前記第１のフィルターを回転することにより、前記第１のフィルターの開口部と、前記第２のフィルターの開口部とが少なくとも一部において一致するようになっており、
前記第２のフィルターは固定されており、
前記キャップの内側には、前記ノズル部にかぶせる方向に縦溝が設けられていると共に、この縦溝に対して垂直方向に複数の横溝が前記第１の突起と前記第２の突起との間隔とは異なる間隔で設けられており、
前記キャップは、前記第１の突起および前記第２の突起の位置をそろえ、これらに前記縦溝を合わせて前記ノズル部にかぶせると共に、前記横溝の１つに前記第１の突起を合わせて回転させることにより、前記第２の突起を回転させて前記第１のフィルターを回転させることが可能である
ことを特徴とする液体の可変計量キャップ。
【発明の詳細な説明】
【技術分野】
【０００１】  本発明は、詰め替え用洗剤等の容器に接続する液体の可変計量キャップに関する。
【背景技術】
【０００２】  現在、液状の洗剤等は本体容器に入れて販売されているが、ごみの削減等を目的として、本体容器に洗剤等を詰め替えて用いるための詰め替え用パックが売られている。この詰め替え用パックは、通常は、本体容器内の洗剤等が少なくなった時に、詰め替え用パックから本体容器に洗剤等を詰め替えて使用する。しかし、詰め替え用パックをそのまま使用した方が、本体容器に洗剤等を詰め替えて使用した場合に比べて、スペースも取らず、ごみの削減にもなると考えられる。
【先行技術文献】
【特許文献】
【０００３】
【特許文献１】特許第５１５０９４０号公報
【特許文献２】実開平０５−０８１６５１号公報
【発明の概要】
【発明が解決しようとする課題】
【０００４】  本発明は、このような問題に基づきなされたものであり、詰め替え用容器をそのまま使用しても、従来の本体容器と同等またはそれ以上の計量性能を得ることができ、使用者が扱いやすい液体の可変計量キャップを提供することを目的とする。【０００５】  なお、特許文献１には、洗剤等の紛体入れている容器の蓋をする下蓋と、洗剤等の紛体を溜める容器と、洗剤等の紛体を溜める容器の蓋をする上蓋と、洗剤等の紛体の体積量の変更をするための減量筒からなり、下蓋と洗剤等の紛体を溜める容器との間は、洗剤等の紛体を溜める容器が下蓋に対して回転できることを有し、又、下蓋と洗剤等の紛体を溜める容器は、両方共、円周に対して１８０度以内の一部開口部分があり、洗剤等の紛体を溜める容器が、洗剤等の紛体入れている容器に対して、回転することにより、下蓋と洗剤等の紛体を溜める容器の間が開閉できることを有し、洗剤等の紛体を溜める容器の内側に減量筒を入れることにより、洗剤等の紛体の体積量の変更ができることを特徴とする計量キャップが記載されている。【０００６】  しかしながら、特許文献１に記載の計量キャップは、容器に蓋を格納しているため、その性能が容器に依存している部分があるのに対して、本願発明は、蓋の機能でその性能が完結しているため専用の容器を用意する必要性がなく、コスト面で優れている。また、本願発明は、水道の要領でひねることで洗剤を出すことができるので、より直感的に操作することができる。【０００７】  また、特許文献２には、サイホンの原理による、鍵型にまげた液体流出パイプ（５）口と、空気圧、水圧との組合せにより、液体流出と同時に、本考案品内部に少量づつの液体をため、これがあふれて、空気パイプ（３）を通り、（３’）に落ち、空気口の位置を（２）より（３’）に変え、流出中の液体を止めるキヤップ式液体計量器が記載されている。【０００８】  しかしながら、特許文献２に記載のキャップ式液体計量器は、タンクを二つ用意して切り替えることによって液体量の調節を行うものである。この手法では、使わない余分なタンクが存在し、スペースを多くとってしまことや、液体量の種類がタンク数に依存してしまい、量調節の自由度が低いという問題がある。これに対して、本願発明は、変形させることによってより簡単に自由度の高い量調節ができる点において優れている。
【課題を解決するための手段】
【０００９】  本発明の液体の可変計量キャップは、液体の入った詰め替え用容器の液体排出部に接続するノズル部と、このノズル部の突出側の出口に設けられた第１のフィルターおよび第２のフィルターと、ノズル部の突出側を覆うようにかぶせるキャップとを備え、ノズル部の側面には、第１の突起が設けられ、第１のフィルターと第２のフィルターとは重ねわせて設けられ、第２のフィルターは、少なくとも１つ以上の開口部を有すると共に、第１のフィルターは、少なくとも１以上の開口部を有し、第１のフィルターは、側部に第２の突起が設けられると共に回転可能であり、第１のフィルターを回転することにより、第１のフィルターの開口部と、第２のフィルターの開口部とが少なくとも一部において一致するようになっており、第２のフィルターは固定されており、キャップの内側には、ノズル部にかぶせる方向に縦溝が設けられていると共に、この縦溝に対して垂直方向に複数の横溝が第１の突起と第２の突起との間隔とは異なる間隔で設けられており、キャップは、第１の突起および第２の突起の位置をそろえ、これらに縦溝を合わせてノズル部にかぶせると共に、横溝の１つに第１の突起を合わせて回転させることにより、第２の突起を回転させて第１のフィルターを回転させることが可能であることを特徴とするものである。
【発明の効果】
【００１０】  本発明により期待できる効果は下記のとおりである。
１．詰め替え用容器を吊るしておけば、片手で液体を計量、投入することができる。詰め替え用容器を台等につるして固定することによって、重力により液体は下側へと降りてくるため、使用者はキャップの操作を行うだけとなり、より操作が簡単となる。ノズル部出口に設けられた第１のフィルターおよび第２のフィルターにより、水道のように扱うことができる。
２．構造自体はシンプルなので、安価に製作できる。複雑な機構が用いられていないため、各部の構成は非常にシンプルなものとなっているため、製作コストが抑えられる。
３．詰め替え用容器のまま使用できるので、詰め替える必要がなくなる。元来、詰め替え用容器は、本体容器に入れる液体洗剤等の液体を保管するもので、液体洗剤等を使用する際には、本体容器に移して使用する必要性があった。この方式では、本体容器を用意するために別途コストが必要となり、詰め替える手間も存在した。しかし、本発明を用いれば、本体容器を用意せずとも液体洗剤等を取り出すことができ、詰め替える手間も必要ない。さらに、従来であれば液体洗剤等の種類を変えた際に本体容器も変える必要性があるが、本発明では水を通して洗うだけで再利用が可能となるため、この発明品一つで対応することが可能である。
【図面の簡単な説明】
【００１１】
【図１】本発明一実施の形態に係る液体の可変計量キャップの全体構成を表す図である。
【図２】図１に示した第１のフィルターおよび第２のフィルターを取り出して表す図である。
【図３】図１に示した液体の可変計量キャップの操作手順を説明するための図である。
【図４】図３に続く操作手順を説明するための図である。
【図５】第１のフィルターおよび第２のフィルターの動きを説明するための図である。
【発明を実施するための形態】
【００１２】  図１は、本実施の形態に係る液体の可変計量キャップの全体構成を表すものである。図２は、図１に示したフィルター２を取り出して表すものである。本実施の形態に係る液体の可変計量キャップは、ノズル部１と、フィルター２と、キャップ３とを備えている。
【００１３】  ノズル部１は液体の入った詰め替え用容器の液体排出部に接続する部分であり液体の遮断と取り出しを行う。液体の入った詰め替え用容器としては、液体洗剤の詰め替え用容器や、液体柔軟剤の詰め替え容器等が挙げられる。ノズル部１の内側には、例えば、詰め替え用容器の液体排出部に形成されているおねじに対応してめねじが形成されている。ノズル部１の側面には、第１の突起１１が設けられている。第１の突起１１は、これ自体は可動せず、キャップ３をはめる際の噛み合わせのガイドの役割を果たす。
【００１４】  ノズル部１の突出側の出口には、フィルター２が取り付けられている。フィルター２は、円板状の第１のフィルター２１と、円板状の第２のフィルター２２とを有している。第１のフィルター２１と第２のフィルター２２とは重ねわせて設けられており、第２のフィルター２２は、少なくとも１つ以上の開口部２４を有すると共に、第１のフィルター２１は、少なくとも１以上の開口部２５を有している。なお、本実施の形態では、第１のフィルター２１及び第２フィルター２２に、それぞれ、２個の開口部２４，２５が設けられている。
【００１５】  第１のフィルター２１は、側部に第２の突起２３が設けられると共に回転可能であり、第１のフィルター２１を回転させることにより、第１のフィルター２１の開口部２４と、第２のフィルター２２の開口部２５とが少なくとも一部において一致するようになっている。第１のフィルター２１の開口部２４及び第２のフィルター２２の開口部２５は液体の通路となり、少なくとも一部が一致することにより、詰め替え用容器内の液体が流出する。また、開口部２４，２５が少なくとも一部において一致している状態から、第１のフィルター２１を例えば反対に回転させると、開口部２４と開口部２５とが離れて重なりがなくなり、通路が閉じる。
【００１６】  第１の突起１１、第２の突起２３、開口部２４，２５との位置関係は、第１の突起１１と第２の突起２３の位置をそろえた時に、開口部２４と開口部２５とが離れて重なりがない状態となり、第１の突起１１と第２の突起２３の位置をそろえた状態から第２の突起２３を回転させた時に、開口部２４と開口部２５とが少なくとも一部において一致する状態となるように構成されることが好ましい。第１のフィルター２１の回転方向は、例えば、第１のフィルター２１と第２のフィルター２２とを重ね合わせた方向を回転軸として、回転可能とされている。すなわち、第１のフィルター２１は、第２のフィルター２２に沿って回転可能とされている。第２のフィルター２２は動かないようにノズル部１に固定されている。第１のフィルター２１は、例えば、第２のフィルター２２よりもノズル部１の突出側に設けられていることが好ましい。
【００１７】  キャップ３は、ノズル部１の突出側を覆うようにかぶせられる。キャップ３には、詰め替え用容器に入っている液体について定量を計り取る仕組みが組み込まれている。考え方としては、貯める液体量に上限を設定し、満杯になるように液体を注ぐと、上限値という定量の値が得られるというものである。
【００１８】  具体的には、キャップ３の内側には、ノズル部１にかぶせる方向に縦溝３１が設けられていると共に、この縦溝３１に対して垂直方向に複数の横溝３２が設けられている。これら縦溝３１及び横溝３２は、ノズル部１の第１の突起１１をはめ込み噛み合わせるためのものである。縦溝３１は、キャップ３の開口端から形成されており、第１の突起１１と第２の突起２３との位置をそろえた状態で、第１の突起１１及び第２の突起２３に縦溝３１を合わせて、キャップ３をノズル部１にかぶせることができるようになっている。
【００１９】  各横溝３２は縦溝３１に対して同一方向に、第１の突起１１と第２の突起２３との間隔とは異なる間隔で設けられている。これにより、第１の突起１１に一つの横溝３２を合わせ、横溝３２に沿ってキャップ３を回転させることにより、第２の突起２３は横溝３２に合っていないので縦溝３１の回転に合わせて回転され、第１のフィルター２１が回転されるようになっている。また、各横溝３２の間隔は等間隔とされていることが好ましい。第１の突起１１を合わせる横溝３２の位置に応じて、量り取る液体の量が容易に調整される。
【００２０】  なお、ノズル部１、フィルター２、及び、キャプ３は、例えば、それぞれプラスチックにより構成されている。また、キャップ３は、透明または半透明であることが好ましい。内側に設けた横溝３２と、第１の突起１１の位置を容易に認識することができるようにするためである。
【００２１】  この液体の可変計量キャップは、次のようにして用いられる。図３及び図４は、液体の可変計量キャップの操作手順を説明するものである。まず、液体の入った詰め替え用容器の液体排出部にノズル部１を接続する。その際、例えば、図５に示したように、第１の突起１１と第２の突起２３の位置をそろえて開口部２４と開口部２５とが離れて重ならない状態とする。次いで、ノズル部１を下向きにして、ノズル部１を接続した詰め替え用容器を台等につるして設置する。
【００２２】  続いて、例えば、図３に示したように、第１の突起１１と第２の突起２３の位置をそろえた状態で、第１の突起１１及び第２の突起２３に縦溝３１を合わせて、キャップ３をノズル部１にかぶせる。キャップ３は、量り取りたい液体の量に対応する１つの横溝３２に第１の突起１１が達するまで差し込む。その際、第１の突起１１と第２の突起２３との間隔は横溝３２の間隔と異なっているので、第２の突起２３は横溝３２に一致しない。
【００２３】  次に、例えば、図４に示したように、第１の突起１１を横溝３２に沿わせてキャップ３を回転させる。これにより、縦溝３１の回転に合わせて第２の突起２３が回転し、第１のフィルター２１が回転して、開口部２４と開口部２５の少なくとも一部が一致してフィルター２が開かれ、詰め替え用容器内の液体がキャップ３の内部に流れ込む。キャップ３の内部が液体で満たされたら、キャップ３を逆方向に回転させてフィルター２を閉じる。そののち、第１の突起１１及び第２の突起２３を縦溝３１を合わせ、キャップ３をノズル部１から取り外す。これにより、所定量の液体を量り取ることができる。
【００２４】  このように本実施の形態によれば、下記の効果を得ることができる。
１．詰め替え用容器を吊るしておけば、片手で液体を計量、投入することができる。詰め替え用容器を台等につるして固定することによって、重力により液体は下側へと降りてくるため、使用者はキャップ３の操作を行うだけとなり、より操作が簡単となる。ノズル部１の出口に設けられた第１のフィルター２１および第２のフィルター２２により、水道のように扱うことができる。
２．構造自体はシンプルなので、安価に製作できる。複雑な機構が用いられていないため、各部の構成は非常にシンプルなものとなっているため、製作コストが抑えられる。
３．詰め替え用容器のまま使用できるので、詰め替える必要がなくなる。元来、詰め替え用容器は、本体容器に入れる液体洗剤等の液体を保管するもので、液体洗剤等を使用する際には、本体容器に移して使用する必要性があった。この方式では、本体容器を用意するために別途コストが必要となり、詰め替える手間も存在した。しかし、本実施の形態に係る液体の可変計量キャップを用いれば、本体容器を用意せずとも液体洗剤等を取り出すことができ、詰め替える手間も必要ない。さらに、従来であれば液体洗剤等の種類を変えた際に本体容器も変える必要性があるが、この液体の可変計量キャップは水を通して洗うだけで再利用が可能となるため、この発明品一つで対応することが可能である。
【産業上の利用可能性】
【００２５】  本製品を利用することにより、本体容器を使用せずとも、詰め替え用容器等の切り口部に直接取り付けて内容液を取り出せる。これにより詰め替える手間がなくなり、容器のようにスペースをとることもなくなるため、容器を使用した液体の管理と比べ機能的である。
【符号の説明】
【００２６】  １…ノズル部、１１…第１の突起、２…フィルター、２１…第１のフィルター、２２…第２のフィルター、２３…第２の突起、２４，２５…開口部、３…キャップ、３１…縦溝、３２…横溝
【図１】
2020142856.tif 000003
【図２】
2020142856.tif 000004
【図３】
2020142856.tif 000005
【図４】
2020142856.tif 000006
【図５】
2020142856.tif 000007
【手続補正書】
【提出日】令和1年7月13日(2019.7.13)
【手続補正１】
【補正対象書類名】特許請求の範囲
【補正対象項目名】全文
【補正方法】変更
【補正の内容】
【特許請求の範囲】
【請求項１】
液体の入った詰め替え用容器の液体排出部に接続するノズル部と、
このノズル部の突出側の出口に設けられた第１のフィルターおよび第２のフィルターと、
前記ノズル部の突出側を覆うようにかぶせるキャップとを備え、
前記ノズル部の側面には、第１の突起が設けられ、
前記第１のフィルターと前記第２のフィルターとは重ね合わせて設けられ、前記第２のフィルターは、少なくとも１つ以上の開口部を有すると共に、前記第１のフィルターは、少なくとも１以上の開口部を有し、
前記第１のフィルターは、側部に第２の突起が設けられると共に回転可能であり、
前記第２のフィルターは固定されており、
前記キャップの内側には、前記ノズル部にかぶせる方向に縦溝が設けられていると共に、この縦溝に対して垂直方向に複数の横溝が前記第１の突起と前記第２の突起との間隔とは異なる間隔で設けられており、
前記キャップは、前記第１の突起および前記第２の突起の位置をそろえ、これらに前記縦溝を合わせて前記ノズル部にかぶせると共に、前記横溝の１つに前記第１の突起を合わせて回転させることにより、前記第２の突起を回転させることで、前記第１のフィルターの開口部と、前記第２のフィルターの開口部とが少なくとも一部において一致するように、前記第１のフィルターを回転させることが可能である
ことを特徴とする液体の可変計量キャップ。